(57)【要約】【課題】  釣り針への着脱が容易で、夜間でも安全に装着できる釣り針安全保護具を提供する。【解決手段】  釣り針１２の突出方向に対応して延出した収納溝１８が設けられた収納部１４を有する。収納部１４の収納溝１８を覆って係止されるとともに、釣り針１２の軸周りに回動可能に形成され、釣り針１２が通過可能な貫通溝２８が設けられた蓋部１６を備える。収納溝１８は、釣り針１２の軸に対して放射状に複数形成されている。貫通溝２８は、蓋部１６の外周近傍の間隔より、中心近傍の間隔が僅かに狭くなっている。収納部１４に設けられた収納溝１８の底面には、貫通孔２０を備える。【選択図】図１
2007028953.tif 000002
【特許請求の範囲】
【請求項１】
釣り針の突出方向に対応して延出した収納溝が設けられた収納部と、前記収納部の収納溝を覆って係止されるとともに前記釣り針の軸周りに回動可能に形成され、前記釣り針が通過可能な貫通溝が設けられた蓋部とを備えたことを特徴とする釣り針安全保護具。
【請求項２】
前記収納溝は、前記釣り針の軸に対して放射状に複数形成されたことを特徴とする請求項１記載の釣り針安全保護具。
【請求項３】
前記蓋部の貫通溝は、前記蓋部の外周近傍の間隔より、中心近傍の間隔が僅かに狭くなるように形成されたことを特徴とする請求項２記載の釣り針安全保護具。
【請求項４】
前記収納部に設けられた前記収納溝の底面に貫通孔を備えたことを特徴とする請求項１または２記載の釣り針安全保護具。
【発明の詳細な説明】
【技術分野】
【０００１】
この発明は、釣り針に装着されるカバーなどの安全保護具に関する。
【背景技術】
【０００２】
従来、ルアー等に用いる複数本の針から形成された釣り針の取り扱いにあたっては、鞄や袋、衣服、その他各種の釣り具類等との引っかかりや、取扱者の怪我等を防止するために、カバーが用いられている。この釣り針に装着するカバーは、可撓性樹脂などで形成され、針の突出方向に対応してソケット部を放射状に形成し、そのソケット部の上側と内側には、開口した細幅の収納部が形成され、この収納部の両壁面内に釣り針係止用の突起が突設されている。そして、釣り針の収納時には、針が各々突起に係止され、収納されるものである。
【０００３】
また、特許文献１には、釣り針の針数に対応して形成された放射状に突出する複数個のソケット部の先方下部に開口部が形成され、ソケット部の両壁面内に突起がそれぞれ突設されたカバーが開示されている。そして、装着時に各針が係止されて、釣り針を収納する釣り針カバーが開示されている。
【０００４】
そのほか、特許文献２に開示されているように、釣り針全体を覆うように収納する樽型等に形成されたケースも、一般に知られている。
【特許文献１】実用新案登録第３０３７３４５号公報
【特許文献２】特開２０００−３００１３８号公報
【発明の開示】
【発明が解決しようとする課題】
【０００５】
しかし、上記従来の技術では、釣り針に装着する際、ソケット部の開口部分と釣り針の各針とを、真っ直ぐに合わせて釣り針を押し込み突起に係止させる必要があり、手間の掛かるものであった。さらに、釣り針からカバーを外す際に、突起から係合を外すために強く釣り針を引かなければならず、釣り針の軸方向に沿ってカバーを真っ直ぐ引っ張らないと、ソケット部材に針先が引っ掛かったり、勢い余って自分の衣服や手等に針を刺してしまう問題があった。また、このときに針先を傷めたりする問題もあった。特に、夜釣りや船釣り或いは風雨下での釣りなど、手元が暗かったり、揺れたりする場合は、カバーの着脱がし難く、引っかかりや怪我等を誘発させる問題があった。
【０００６】
特許文献２の構造の場合、釣り針を突起に係合させるものではなく、釣り針の着脱に大きな力は不要であるが、ケース体積が大型化し嵩張りやすく、釣り針の鉤部を収納するケース内に水分が排出されず残留し、釣り針に腐食が発生する問題が残るものであった。
【０００７】
この発明は、上記従来技術の問題に鑑みて成されたもので、釣り針への着脱が容易で、夜間でも安全に装着できる釣り針安全保護具を提供することを目的とする。
【課題を解決するための手段】
【０００８】
この発明は、釣り針の突出方向に対応して延出した収納溝が設けられた収納部と、前記収納部の収納溝を覆って係止されるとともに前記釣り針の軸周りに回動可能に形成され、前記釣り針が通過可能な貫通溝が設けられた蓋部とを備えた釣り針安全保護具である。
【０００９】
前記収納溝は、前記釣り針の軸に対して放射状に複数形成されたものである。また、前記貫通溝は、前記蓋部の外周近傍の間隔より、中心近傍の間隔が僅かに狭く成るように形成されている。さらに、前記収納部に設けられた前記収納溝の底面に貫通孔を備えたものである。
【発明の効果】
【００１０】
この発明の釣り針安全保護具によれば、蓋部を回動させて、開口した収納溝に釣り針を挿通し、再び蓋部を回動することにより釣り針を確実に収納保護することができる。しかも、釣り針に直接力を加えることなく装着することができるため、装着が簡単であり、力を要することがなく、夜間でも安全に装着できる。また底面に貫通孔を設けることにより、水抜きも良好なものとなる。
【発明を実施するための最良の形態】
【００１１】
以下、この発明の釣り針安全保護具の一実施形態について、図１〜図４を基にして説明する。この実施形態の釣り針安全保護具１０は、ルアー用などの釣り針１２に装着して使用される。この実施形態の釣り針安全保護具１０は、図１に示すように、可撓性樹脂などで形成された収納部１４の上面開口部に、同じく可撓性樹脂などで形成された略円形の蓋部１６が嵌合して構成されている。
【００１２】
収納部１４は、図１、図２に示すように、釣り針１２の突出に対応して中心から放射状に形成された収納溝１８が設けられている。収納溝１８は、釣り針の針先までを収納可能な深さを有しており、底面には、図２に示すように、略長円に形成された底面貫通孔２０が設けられている。また、放射状に形成された収納溝１８の底面中央には、円形貫通孔２２が設けられ、各収納溝１８下端部及び外側垂直方向角は、角が丸められ形成されている。各収納溝１８の上部側は、図１、図２に示すように、放射状に形成された各収納溝１８間で、外側へ曲面を描きながら延出し、円状の外周が形成されている。外周は、環状に形成され、収納溝１８の深さ方向に適宜な幅を持った環状縁２４が設けられ、その環状縁２４には、蓋部１６を係止可能な係止突起２６が適宜な位置に複数設けられている。係止突起２６の両側には、スリットが形成され、係止突起２６も弾性変形を容易にしている。そして、環状縁２４の内側は、開口した中空状に形成され、収納溝１８に連通している。
【００１３】
蓋部１６は、図１に示すように、上面が凸状に湾曲して形成され、また、図３に示すように、釣り針１２の突出方向に対応して、蓋部１６上面中心から放射状に貫通溝２８が設けられている。貫通溝２８の幅は、外周近傍端部から中心に向かうにしたがい僅かに狭くなるように形成されている。蓋部１６外周には、図１に示すように、収納部１４の環状縁２４と垂直方向にほぼ同じ幅に形成された蓋部縁３０が設けられている。蓋部縁３０の外側側面には、図３に示すように、外周に沿って凸状に形成された短い把持凸部３２と円周方向に長い把持凸部３４がそれぞれ複数設けられている。把持凸部３４の内面は、蓋部縁３０に沿って溝状の凹部３４ａが設けられている。凹部３４ａには、収納部１４の係止突起２６が係止され、蓋部が凹部３４ａの範囲で回動可能に形成されている。この凹部３４ａの一方の端部近傍には、その端部より、収納部１４に設けられた係止突起２６の外周方向の幅にほぼ同じくした間隔を開けて、突起３４ｂがそれぞれ突設されている。また、突起３４ｂは、それぞれ蓋部縁３０の回転方向に等角度の位置に設けられている。
【００１４】
次に、この発明の釣り針安全保護具１０の使用方法について説明する。まず、釣り針１２に釣り針安全保護具１０を装着するには、図４（ａ）に示すように、収納部１４を保持して、指で蓋部１６を貫通溝２８と収納溝１８が一致する開位置まで回転させる。この際、凹部３４ａの端部に係止突起２６が当接している。次に、指で釣り針１２の軸を保持し、蓋部１６の貫通溝２８に釣り針１２の突出方向を合わせて、釣り針１２の鉤が収納溝１８内部に収納されるまで挿通させる。そして、図４（ｂ）に示すように、指で蓋部１６を先ほどとは逆に、蓋部１６に設けられた突起３４ｂが収納部１４の掛止突起２６を適度な節度感を伴って越えて、凹部３４ａの隙間まで回転させ閉位置にする。この状態で、蓋部１６により収納溝１８が塞がれるため、釣り針１２は収納部１４に収納され、抜けなくなる。
【００１５】
次に、釣り針１２から釣り針安全保護具１０を外すには、図４（ｂ）に示すように、釣り針１２に装着された釣り針安全保護具１０の収納部１４を指で保持して、装着時とは逆方向であって、収納溝１８と貫通溝２８が一致する開位置まで蓋部１６を回転させる。そして、釣り針１２の軸を指で保持し、図４（ａ）に示すように、釣り針を、収納溝１８及び貫通溝２８から引き抜く。これにより、釣り針１２を、釣り針安全保護具１０から外すことができる。
【００１６】
この実施形態の釣り針安全保護具１０によれば、釣り針１２の突出方向に対応して放射状に形成された収納溝１８に釣り針１２を収納し、蓋部１６を回転させて装着するため、釣り針１２に直接力を加えることなく、簡単に収納及び取り出しができるものである。また、簡単な装着方法により、夜間等の手元が暗い場合でも安全に収納できるものである。さらに、収納部１４に放射状に形成された収納溝１８の底面及び中心に設けられた底面貫通孔２０及び円形貫通孔２２により、収納部１４の水分が排出され、水抜きも良好なため、錆などの腐食の恐れが低減され、装着したままで水などにより洗浄可能なものである。
【００１７】
なお、この発明の釣り針安全保護具は上記実施形態に限定されるものではなく、収納溝及び貫通溝の数は、釣り針の突出に対応して放射状に形成されるため、適宜設定可能なものである。また、収納部及び蓋部の大きさは、釣り針の大きさに合わせて適宜設定可能なものである。
【００１８】
さらに、収納部及び蓋部など各部材の素材は適宜変更可能である。この場合、反射性を備えた蛍光塗料や反射材を素材に混入して形成することにより、持ち運びの際でも、認識し易くなり良い。また、自発光性を備えた畜光塗料による着色等を素材に施し形成する発光処理を施すことにより、夜釣りなどの暗闇でも、形状が認識でき安全性が向上し、なお良い。
【図面の簡単な説明】
【００１９】
【図１】この発明の一実施形態の釣り針安全保護具を示す部分破断正面図である。
【図２】この実施形態の釣り針安全保護具の収納部の底面図である。
【図３】この実施形態の釣り針安全保護具の蓋部の上面図である。
【図４】この実施形態の釣り針安全保護具の装着方法を示す斜視図（ａ）と、釣り針を収納した状態を示す斜視図（ｂ）である。
【符号の説明】
【００２０】
１０  釣り針安全保護具
１４  収納部
１６  蓋部
１８  収納溝
２０  底面貫通孔
２２  円形貫通孔
２４  環状縁
２６  係止突起
２８  貫通溝
３４  長尺把持部
３４ａ  凹部
３４ｂ  突起
【図１】
2007028953.tif 000003
【図２】
2007028953.tif 000004
【図３】
2007028953.tif 000005
【図４】
2007028953.tif 000006